(57)【要約】【課題】鋳型の冷却水が漏洩して電磁撹拌用コイルと接触して発生する地絡を防止することができる電磁攪拌装置の地絡防止装置を提供する。【解決手段】鋳型内の溶鋼を攪拌する電磁攪拌装置において、電磁攪拌用のコイルおよびコアを収納する収納室の溶鋼側に設けた前部板の外面に、水冷溝を有する鋳型銅板を張設し、前記コアと前部板との間に、前記水冷溝から漏洩する濾水をシールする飛散防止シートを配設することを特徴とする電磁攪拌装置の地絡防止装置。【選択図】　　図２
2004025193.tif 000002
【特許請求の範囲】
【請求項１】
鋳型内の溶鋼を攪拌する電磁攪拌装置において、電磁攪拌用のコイルおよびコアを収納する収納室の溶鋼側に設けた前部板の外面に、水冷溝を有する鋳型銅板を張設し、前記コアと前部板との間に、前記水冷溝から漏洩する濾水をシールする飛散防止シートを配設することを特徴とする電磁攪拌装置の地絡防止装置。
【請求項２】
前記飛散防止シートは、前記コアと前部板との間に所定の隙間をあけて配設することを特徴とする請求項１に記載の電磁攪拌装置の地絡防止装置。
【請求項３】
前記収納室内の下部に濾水を検知する濾水検知センサーを配設することを特徴とする請求項１または請求項２に記載の電磁攪拌装置の地絡防止装置。
【請求項４】
前記収納室に、雰囲気ガスの侵入を防止するパージガスを供給するパージガス供給管とパージ後のガスを排出するパージガス排出管とを配設することを特徴とする請求項１乃至請求項３に記載の電磁攪拌装置の地絡防止装置。
【請求項５】
前記パージガス排出管を、濾水を排出する濾水排出管と兼用することを特徴とする請求項１乃至請求項４に記載の電磁攪拌装置の地絡防止装置。
【発明の詳細な説明】
【０００１】
【発明が属する技術分野】
本発明は、連続鋳造設備において、鋳型内の溶鋼を攪拌する電磁攪拌装置の地絡を防止する地絡防止装置に関する。
具体的には、連続鋳造用鋳型の冷却水が漏洩して電磁撹拌用コイルに接触して発生する地絡を防止する装置に関する。
【０００２】
【従来の技術】
連続鋳造設備において、鋳型内の溶鋼に含まれている非金属介在物やガスを積極的に溶鋼の表面に浮上させて除去し、表面品質の優れた鋳片を得るために、鋳型内の溶鋼に電磁力を働かせて攪拌する電磁撹拌装置が用いられている。
この電磁攪拌装置は、鋳型の長さおよび高さ方向のほぼ全体にわたって設けられており、鋳型を保護するための冷却水は鋳型の冷却箱の下部より供給され、溶鋼に接する鋳型壁を通って上昇し、冷却箱の上部より排出されている。
【０００３】
表面品質の充分に優れた鋳片を得るためには、電磁攪拌装置のコイルを鋳型内溶鋼の表面に出来る限り近づけて、溶鋼表面まで攪拌することが必要である。
そのための技術として、例えば、実公昭５８−４９１７２号公報には、冷却箱の溶鋼側外面に冷却壁を張設し、冷却壁に設けた冷却溝に冷却水を供給する給水室と、冷却溝からの冷却水を排出する排水室と、電磁攪拌装置を収納する収納室とを設けたものが開示されている。
この技術は、従来、収納室の上にあった排水室を収納室の下に配置することで収納室を溶鋼表面に近づけて、溶鋼表面を積極的に攪拌しようとするものである。
【０００４】
また、鋳型内の溶鋼表面を積極的に攪拌するものとして、特開平７−３１４１０４号公報が開示されている。
この技術は、溶鋼表面の位置が鋳型周辺に設置する電磁攪拌装置のコア中心からコア上端までの範囲にくるように装置を配置して鋳型内の溶鋼流を旋回させ、溶鋼の流動を制御する方法である。また、溶鋼の冷却および収納室の保護のため、収納室本体内に冷却水を給水して直接コイルを冷却するとともに溶鋼を冷却することも提案されている。
【０００５】
【発明が解決しようとする課題】
前述のような従来の給水室と排水室を収納室の下側に配置した電磁攪拌装置では、収納室の溶鋼面側に配置した冷却壁に冷却水を通水して、収納室内に収納された電磁攪拌用コイルを溶鋼の熱から保護することが考慮されていたが以下のような問題点があった。
【０００６】
まず、収納室の溶鋼面側前部板に外面に冷却溝を有する銅板をボルトにて固定配置しているため、ボルト固定部には濾水防止のシールが施しているものの、長時間使用することで、シール材の劣化等によりこのボルト接合部からの水漏れが発生し、この濾水により収納室が浸水し、コイルが地絡して通電をストップしなければならなかった。
また、コイルが濡れてしまうとモールドを一旦オフラインに移動し、コイルを乾燥させ、乾燥が終わるまで、通電不可となり、この間電磁攪拌が出来ない事態が発生する。これにより、鋳片の品質も低下していた。
【０００７】
さらに、モールドを長期間使用した場合、スケールやゴミによりパージガス排出口が詰まって、濾水を排水することができず、濾水の発生を検知することができずに突如、電磁攪拌が停止するという事態も発生していた。
本発明は、前述のような従来技術の問題点を解決し、鋳型の冷却水が漏洩して電磁撹拌用コイルと接触して発生する地絡を防止することができる電磁攪拌装置の地絡防止装置を提供することを課題とする。
【０００８】
【課題を解決するための手段】
本願発明は、上記課題を解決するため、鋭意検討の結果なされたものであり、その要旨とするところは特許請求の範囲に記載された通りの下記内容である。
（１）鋳型内の溶鋼を攪拌する電磁攪拌装置において、電磁攪拌用のコイルおよびコアを収納する収納室の溶鋼側に設けた前部板の外面に、水冷溝を有する鋳型銅板を張設し、前記コアと前部板との間に、前記水冷溝から漏洩する濾水をシールする飛散防止シートを配設することを特徴とする電磁攪拌装置の地絡防止装置。
【０００９】
（２）前記飛散防止シートは、前記コアと前部板との間に所定の隙間をあけて配設することを特徴とする（１）に記載の電磁攪拌装置の地絡防止装置。
（３）前記収納室内の下部に濾水を検知する濾水検知センサーを配設することを特徴とする（１）または（２）に記載の電磁攪拌装置の地絡防止装置。
【００１０】
（４）前記収納室に、雰囲気ガスの侵入を防止するパージガスを供給するパージガス供給管とパージ後のガスを排出するパージガス排出管とを配設することを特徴とする（１）乃至（３）に記載の電磁攪拌装置の地絡防止装置。
（５）前記パージガス排出管を、濾水を排出する濾水排出管と兼用することを特徴とする（１）乃至（４）に記載の電磁攪拌装置の地絡防止装置。
【００１１】
【発明の実施の形態】
本発明の実施の形態を、図１乃至図３を用いて詳細に説明する。
図１は、本発明の電磁攪拌装置の地絡防止装置における実施形態を例示する側面図である。
図１において、溶鋼は連続鋳造設備の鋳型１６により鋳込まれて鋳片９となる。電磁攪拌用のコイル４およびコア１０とは、収納室１５に設置されており、収納室１５の溶鋼側に設けた前部板２の外面に、水冷溝を有する鋳型銅板１が張設されている。
【００１２】
前記収納室１５の下部には、給水室１８および排水室１７が設置されており、冷却水はこの給水室１８から鋳型銅板１に供給された後、排水室１７に戻されることにより、鋳型銅板１を介して鋳片９を冷却する。
また、コア１０と前部板２との間には、鋳型銅板１の内部の水冷溝から漏洩する濾水をシールする飛散防止シート５を配設することにより、濾水がコイル４に接触して発生する地絡を防止することができる。
さらに、収納室１５内の下部には、濾水検知センサーが設置されているので、操作室にいるオペレーターは収納室内に濾水が発生したことを認識し、地絡の危険性を予知することができる。
【００１３】
収納室１５には、パージガス供給管６が設けられおり、窒素などの不活性ガスを収納室１５に供給することにより、外部の雰囲気ガスの侵入を防止することができ、その結果、地絡の発生リスクを低減することができる。
また、収納室１５に供給されたパージガスは、パージガス排出管７により収納室１５の外部に排出することができ、さらに、このパージガス排出管７を濾水の排出管としても使用することができる。
【００１４】
図２は、本発明の電磁攪拌装置の地絡防止装置における実施形態を例示する詳細図である。
図２において、鋳型銅板１の内部には、水冷溝１３が設けられており、この水冷溝１３内を冷却水が循環することによって、鋳型銅板１が冷却・保護される。鋳型銅板１は、鋳型銅板取り付けボルト１２によって、前部板２に取り付けられている。この鋳型銅板の固定部には防水シールが施されているが、長期間の使用によるシール材の劣化などにより、ボルト接合部から冷却水が漏洩することがある。
【００１５】
そこで、コア１０と前部板２との間には、鋳型銅板１の内部の水冷溝から漏洩する濾水をシールする飛散防止シート５を配設することにより、濾水がコイル４に接触して発生する地絡を防止することができる。
この飛散防止シート５は、コア１０と前部板２との間に所定の隙間をあけて配設することが好ましく、冷却水の飛散防止と施工し易さの観点から、飛散防止シート５とコア１０との隙間は０．５〜２．０ｍｍ、飛散防止シート５と前部板２との隙間は０．５〜２．０ｍｍが好ましい。
【００１６】
また、飛散防止シート５は、シム１４により前記所定の間隔をあけて、飛散防止シート取り付けビス１１によって前部板２に取り付けられている。
尚、この飛散防止シート５は、強度と加工性の観点から、板厚０．５〜２．０ｍｍのテフロン（登録商標）などの樹脂製が好ましい。
図３は、図２のＡ−Ａ矢視図である。
図３において、シム１４は、飛散防止シート取り付けビス１１の周囲に設け、飛散防止シート５と前部板２との間に隙間を設けることにより、濾水を排出する流路とすることができる。
【００１７】
【発明の効果】
本発明によれば、鋳型の冷却水が漏洩して電磁撹拌用コイルと接触して発生する地絡を防止することができる電磁攪拌装置の地絡防止装置を提供することができ、具体的には下記のような産業上有用な顕著な効果を奏する。
１）電磁攪拌用のコアと前部板との間に、前記水冷溝から漏洩する濾水をシールする飛散防止シートを配設することにより、冷却水が鋳型銅板の取り付けボルト部から漏洩しても、濾水がコイルに直接接触することがないので地絡を防止することができる。
【００１８】
２）操作室にいるオペレーターは、濾水検知センサーにより濾水の発生を認知することができるので、地絡の危険性を予知することができる。
３）パージガス供給管および排出管を設けることにより、外部の雰囲気ガスの侵入を防ぐことができるので、地絡の発生リスクを低減することができる。
４）パージガス排出管を濾水の排出管としても利用することができる。
【図面の簡単な説明】
【図１】本発明の電磁攪拌装置の地絡防止装置における実施形態を例示する側面図である。
【図２】本発明の電磁攪拌装置の地絡防止装置における実施形態を例示する詳細図である。
【図３】図２のＡ−Ａ矢視図である。
【符号の説明】
１　：鋳型銅板、
２　：前部板、
３　：天井板、
４　：コイル、
５　：飛散防止シート、
６　：パージガス供給管、
７　：パージガス排出管、
８　：濾水検知センサー、
９　：鋳片、
１０：コア、
１１：飛散防止シート取り付けビス、
１２：鋳型銅板取り付けボルト、
１３：水冷溝、
１４：シム、
１５：収納室、
１６：鋳型、
１７：排水室、
１８：給水室
【図１】
2004025193.tif 000003
【図２】
2004025193.tif 000004
【図３】
2004025193.tif 000005